(57)【要約】【課題】安心して安全な課金処理を実施し、個人認証の情報を入力する負担を軽減する。【解決手段】インターネットサービス課金システムに、プライベートネットワークに接続され、プライベートネットワークに入るエンドユーザの接続アカウントを個人認証の情報として保持し、課金処理を行う課金サーバー111と、インターネットに接続され、コンテンツ、課金アプレットを保持するコンテンツサーバ−108と、プライベートネットワークに入り、課金サーバーに認証、課金処理を行わせる携帯電話機101と、携帯電話機と専用ケーブルで分離可能に接続され、コンテンツサーバーにコンテンツの要求時にダウンロードした課金アプレットにより携帯電話機で接続アカウントの確認後課金サーバーに課金処理を行わせ、コンテンツサーバーが課金処理を確認した場合にはコンテンツサーバーからコンテンツをダウンロードするパーソナルコンピュータ106とを備える。【選択図】図１
2006190038.tif 000002
【特許請求の範囲】
【請求項１】
インターネット上の有料サービスの課金を行うインターネットサービス課金システムにおいて、
プライベートネットワークに接続され、前記プライベートネットワークに入るエンドユーザの接続アカウントを個人認証の情報として保持し、課金処理を行う課金サーバーと、
インターネットに接続され、コンテンツ、課金アプレットを保持し、前記課金サーバーから課金情報を取得し、課金処理を確認した場合にはコンテンツをエンドユーザにダウンロードするコンテンツサーバ−と、
入力した接続アカウントがエンドユーザの接続アカウントであることを確認して接続アカウントを用いて前記プライベートネットワークに入り、前記課金サーバーにエンドユーザの認証、課金処理を行わせる携帯電話機と、
前記携帯電話機と専用ケーブルで分離可能に接続され、前記コンテンツサーバーに前記インターネットを経由して接続し前記コンテンツサーバーへの接続要求を行い、前記課金アプレットをダウンロードし、前記専用ケーブルを経由して、ダウンロードした前記課金アプレットにより接続アカウントを前記携帯電話機に出力し前記携帯電話機で接続アカウントの確認後、接続アカウントを用いて前記プライベートネットワークに入り、前記課金サーバーに課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行うパーソナルコンピュータとを備えることを特徴とするインターネットサービス課金システム。
【請求項２】
前記コンテンツサーバーと前記課金サーバーとはセキュリティが確保された通信線で接続されることを特徴とする、請求項１に記載のインターネットサービス課金システム。
【請求項３】
前記パーソナルコンピュータにはカードリーダが接続され、前記課金サーバーにはエンドユーザの個人認証の情報を証明書として保持させ、前記パーソナルコンピュータの前記課金アプレットにより前記カードリーダからＩＣカードの個人の証明書を取得させ、前記携帯電話機を経由して、接続アカウントを用いて前記プライベートネットワークに入り、前記課金サーバーに対して取得した前記ＩＣカードの個人の証明書でエンドユーザの認証をさせ、課金処理を行わせることを特徴とする、請求項１に記載のインターネットサービス課金システム。
【請求項４】
インターネット上の有料サービスの課金を行うインターネットサービス課金システムにおいて、
プライベートネットワークに接続され、前記プライベートネットワークに入るエンドユーザの接続アカウントを個人認証の情報として保持し、課金処理を行う課金サーバーと、
インターネットに接続され、コンテンツ、課金アプレットを保持し、前記課金サーバーから課金情報を取得し、課金処理を確認した場合にはコンテンツをエンドユーザにダウンロードするコンテンツサーバ−と、
入力した接続アカウントがエンドユーザの接続アカウントであることを確認して接続アカウントを用いて前記プライベートネットワークに入り、前記課金サーバーにエンドユーザの認証、課金処理を行わせるパーソナルコンピュータと、
前記パーソナルコンピュータと専用ケーブルで分離可能に接続され、前記コンテンツサーバーに前記インターネットを経由して接続し前記コンテンツサーバーへの接続要求を行い、前記課金アプレットをダウンロードし、前記専用ケーブルを経由して、ダウンロードした前記課金アプレットにより接続アカウントを前記パーソナルコンピュータに出力し前記パーソナルコンピュータで接続アカウントの確認後、接続アカウントを用いて前記プライベートネットワークに入り、前記課金サーバーに課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行う携帯電話機とを備えることを特徴とするインターネットサービス課金システム。
【請求項５】
インターネット上の有料サービスの課金を行うインターネットサービス課金システムにおいて、
プライベートネットワークに接続され、前記プライベートネットワークに入るエンドユーザの証明書を個人認証の情報として保持し、課金処理を行う課金サーバーと、
インターネットに接続され、コンテンツ、課金アプレットを保持し、前記課金サーバーから課金情報を取得し、課金処理を確認した場合にはコンテンツをエンドユーザにダウンロードするコンテンツサーバ−と、
カードリーダが接続され、さらに、前記コンテンツサーバーに前記インターネットを経由して接続し前記コンテンツサーバーへの接続要求を行い、前記課金アプレットをダウンロードし、ダウンロードした前記課金アプレットにより前記カードリーダからＩＣカードの個人の証明書を取得させ、前記接続アカウントを用いて前記プライベートネットワークに入り前記課金サーバーに対して取得した前記ＩＣカードの個人の証明書でエンドユーザの認証をさせ、課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行う携帯電話機とを備えることを特徴とするインターネットサービス課金システム。
【請求項６】
インターネット上の有料サービスの課金を行うインターネットサービス課金システムにおいて、
プライベートネットワークに接続され、前記プライベートネットワークに入るエンドユーザの証明書を個人認証の情報として保持し、課金処理を行う課金サーバーと、
インターネットに接続され、コンテンツ、課金アプレットを保持し、前記課金サーバーから課金情報を取得し、課金処理を確認した場合にはコンテンツをエンドユーザにダウンロードするコンテンツサーバ−と、
カードリーダが接続され、さらに、前記コンテンツサーバーに前記インターネットを経由して接続し前記コンテンツサーバーへの接続要求を行い、前記課金アプレットをダウンロードし、ダウンロードした前記課金アプレットにより前記カードリーダからＩＣカードの個人の証明書を取得させ、前記接続アカウントを用いて前記プライベートネットワークに入り前記課金サーバーに対して取得した前記ＩＣカードの個人の証明書でエンドユーザの認証をさせ、課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行うパーソナルコンピュータとを備えることを特徴とするインターネットサービス課金システム。
【請求項７】
インターネット上の有料サービスの課金を行うインターネットサービス課金方法において、
プライベートネットワーク上の課金サーバーにエンドユーザの接続アカウントを個人認証の情報として保持する工程と、
前記インターネット上のコンテンツサーバーにコンテンツ、課金アプレットを保持する工程と、
パーソナルコンピュータと携帯電話機とが分離可能な専用ケーブルで接続されるのを確認する工程と、
前記パーソナルコンピュータから前記インターネット上の前記コンテンツサーバーへの接続を要求して前記パーソナルコンピュータに前記課金アプレットをダウンロードする工程と、
ダウンロードした前記課金アプレットにより前記パーソナルコンピュータから前記携帯電話機にエンドユーザの前記接続アカウントを確認させる工程と、
前記携帯電話機で前記接続アカウントの確認後、前記携帯電話機から前記接続アカウントを用いて前記プライベートネットワークに入る工程と、
前記プライベートネットワークに入った後、前記接続アカウントを用いて前記課金サーバーにエンドユーザの認証をさせ、認証されたエンドユーザに対して課金処理を行う工程と、
前記課金サーバーから前記パーソナルコンピュータに課金処理完了の通知があった場合、前記パーソナルコンピュータから前記コンテンツサーバーにコンテンツの要求を行う工程と、
前記コンテンツの要求があった場合、通信線を経由して前記課金サーバーからの取得した課金処理を確認し前記コンテンツサーバーから前記パーソナルコンピュータにコンテンツをダウンロードし、前記パーソナルコンピュータにダウンロードした前記コンテンツを実行させる工程とを備えることを特徴とするインターネットサービス課金方法。
【請求項８】
インターネット上の有料サービスの課金を行うインターネットサービス課金をコンピュータで実行するプログラムにおいて、
プライベートネットワーク上の課金サーバーにエンドユーザの接続アカウントを個人認証の情報として保持する手順と、
前記インターネット上のコンテンツサーバーにコンテンツ、課金アプレットを保持する手順と、
パーソナルコンピュータと携帯電話機とが分離可能な専用ケーブルで接続されるのを確認する手順と、
前記パーソナルコンピュータから前記インターネット上の前記コンテンツサーバーへの接続を要求して前記パーソナルコンピュータに前記課金アプレットをダウンロードする手順と、
ダウンロードした前記課金アプレットにより前記パーソナルコンピュータから前記携帯電話機にエンドユーザの前記接続アカウントを確認させる手順と、
前記携帯電話機で前記接続アカウントの確認後、前記携帯電話機から前記接続アカウントを用いて前記プライベートネットワークに入る手順と、
前記プライベートネットワークに入った後、前記接続アカウントを用いて前記課金サーバーにエンドユーザの認証をさせ、認証されたエンドユーザに対して課金処理を行う手順と、
前記課金サーバーから前記パーソナルコンピュータに課金処理完了の通知があった場合、前記パーソナルコンピュータから前記コンテンツサーバーにコンテンツの要求を行う手順と、
前記コンテンツの要求があった場合、通信線を経由して前記課金サーバーからの取得した課金処理を確認し前記コンテンツサーバーから前記パーソナルコンピュータにコンテンツをダウンロードし、前記パーソナルコンピュータにダウンロードした前記コンテンツを実行させる手順とを備えることを特徴とするインターネットサービス課金をコンピュータで実行するプログラム。
【請求項９】
インターネット上の有料サービスの課金を行うための携帯電話機において、
前記携帯電話機からプライベートネットワークに入るためのエンドユーザの接続アカウントを保持する接続アカウント保持部と、
前記携帯電話機に接続され、エンドユーザのＩＣカードの個人の証明書を取得し、取得した個人の証明書を用いて前記プライベートネットワーク上の課金サーバーに認証をさせ、課金処理をさせるためのカードリーダと、
前記携帯電話機からインターネット上のコンテンツサーバーへの接続要求時に課金アプレットをダウンロードし、ダウンロードした前記課金アプレットにより、前記接続アカウント保持部に保持されている接続アカウントを用いて前記携帯電話機から前記プライベートネットワークに入り、前記カードリーダから取得したＩＣカードの個人の証明書を用いて前記課金サーバーに課金処理させ、前記課金サーバーから課金処理完了の通知を得た場合、コンテンツの要求を行い、前記コンテンツサーバーが前記課金サーバーから課金処理を確認した場合、前記コンテンツサーバーから前記携帯電話機にコンテンツのダウンロードを行わせる課金アプレット実行部とを備えることを特徴とする携帯電話機。
【請求項１０】
インターネット上の有料サービスの課金を行うためのパーソナルコンピュータにおいて、
前記パーソナルコンピュータからプライベートネットワークに入るためのエンドユーザの接続アカウントを保持する接続アカウント保持部と、
前記パーソナルコンピュータに接続され、エンドユーザのＩＣカードの個人の証明書を取得し、取得した個人の証明書を用いて前記プライベートネットワーク上の課金サーバーに認証をさせ、課金処理をさせるためのカードリーダと、
前記パーソナルコンピュータからインターネット上のコンテンツサーバーへの接続要求時に課金アプレットをダウンロードし、ダウンロードした前記課金アプレットにより、前記接続アカウント保持部に保持されている接続アカウントを用いて前記パーソナルコンピュータから前記プライベートネットワークに入り、前記カードリーダから取得したＩＣカードの個人の証明書を用いて前記課金サーバーに課金処理させ、前記課金サーバーから課金処理完了の通知を得た場合、コンテンツの要求を行い、前記コンテンツサーバーが前記課金サーバーから課金処理を確認した場合、前記コンテンツサーバーから前記パーソナルコンピュータにコンテンツのダウンロードを行わせる課金アプレット実行部とを備えることを特徴とするパーソナルコンピュータ。
【請求項１１】
インターネット上の有料サービスの課金を行うためのサーバーにおいて、
プライベートネットワークに接続され、前記プライベートネットワークに入るエンドユーザの接続アカウントを個人認証の情報として保持し、専用ケーブルで分離可能に携帯電話機に接続されたパーソナルコンピュータから入力した接続アカウントがエンドユーザの接続アカウントであることを携帯電話機で確認して接続アカウントを用いて前記携帯電話機から前記プライベートネットワークに入ったエンドユーザの接続アカウントに対してエンドユーザの認証、課金処理を行う課金サーバーと、
インターネットに接続され、コンテンツ、課金アプレットを保持し、前記パーソナルコンピュータから前記インターネットを経由して接続要求を行い、前記課金アプレットをダウンロードし、ダウンロードした前記課金アプレットにより前記携帯電話機を経由して前記課金サーバーに課金処理を行わせ、前記課金サーバーから課金処理完了の通知を得た場合、コンテンツの要求を行わせ、通信線を経由して前記課金サーバーから課金情報を取得し、取得した課金処理を確認した場合にはコンテンツをエンドユーザである前記パーソナルコンピュータにダウンロードし前記パーソナルコンピュータにコンテンツを実行させるコンテンツサーバ−とを備えることを特徴とする、インターネット上の有料サービスの課金を行うためのサーバー。
【発明の詳細な説明】
【技術分野】
【０００１】
本発明はサービスプロバイダがエンドユーザに対して有料のインターネットサービスを提供する場合の課金処理を行う課金システムに関する。特に、本発明は、個人認証の情報を容易にし安心して安全な課金処理を行うことができるインターネットサービス課金システム、方法、コンピュータで実行するプログラム、携帯電話機、パーソナルコンピュータ及びサーバーに関する。
【背景技術】
【０００２】
図１１は本発明の前提となるインターネットサービス課金システムの概略構成を説明するブロック図である。なお、全図を通して同一の構成要素には同一の番号、符号を付す。本図に示すように、携帯電話機１０１と基地局１０２とは無線で接続され、基地局１０２は携帯電話ネットワーク１０３に接続される。携帯電話ネットワーク１０３はインターネット接続プロバイダ１０４を経由してインターネット１０５に接続される。インターネット１０５はパブリックなネットワークである。
【０００３】
さらに、パーソナルコンピュータ１０６と固定電話ネットワーク１０７とは有線で接続され、固定電話ネットワーク１０７はインターネット接続プロバイダ１０４を経由してインターネット１０５に接続される。
さらに、インターネット１０５にはサービスプロバイダ１０８が接続され、サービスプロバイダ１０８はエンドユーザ１００から携帯電話機１０１によるアクセスに対して、又は、パーソナルコンピュータ１０６によるアクセスに対してエンドユーザ１００のアカウントの認証を行い、課金情報を確認する。
【０００４】
サービスプロバイダ１０８にはコンテンツサーバー１０８Ａが設けられ、コンテンツサーバー１０８Ａはサービスプロバイダ１０８での課金情報を確認後、該当する携帯電話機１０１、又は、該当するパーソナルコンピュータ１０６にコンテンツをダウンロードする。
このようにして、エンドユーザ１００はサービスプロバイダ１０８から有料でインターネットサービスを受けることができ、携帯電話機１０１上又はパーソナルコンピュータ１０６上でダウンロードしたコンテンツを実行（再生）する。
【０００５】
この場合、エンドユーザ１００が携帯電話機１０１、パーソナルコンピュータ１０６からサービスプロバイダ１０８へのアクセス毎に、個人認証に使用される情報であるアカウント情報を入力し、アカウント情報がインターネット１０５上を経由する。
このため、インターネット１０５上のセキュリティを確保するため、アカウント情報に暗号化処理が行われる。
【０００６】
このように、インターネット上での有料コンテンツへの課金に関しては、インターネット上にてアカウント情報の暗号化処理によりセキュリティを維持して実施してきたことは周知である。
しかしながら、上記の従来方法には次のような問題点があった。
第１の問題点は、インターネット１０５上で課金処理を実施する場合、エンドユーザ１００の個人認証に使用する情報であるアカウント情報のセキュリティを確保する必要が有るが、エンドユーザ１００がどのくらいのセキュリティを確保しているか分かりずらいことである。その理由は、インターネット１０５上での暗号化処理でのセキュリティ確保を実施する場合、暗号強度等の専門的知識が必要であるためである。すなわち、暗号化技術を用いたとしても、暗号強度等の専門的な知識が無いと安心して安全な課金処理を実施することができないという問題点がある。
【０００７】
第２の問題点は、課金処理を実施する場合、エンドユーザ１００のアカウント情報を入力する必要があるが、個人認証の情報であるアカウント情報をその都度手入力による場合は煩雑でありエンドユーザ１００の負担が大であるということである。
これらの問題に関連して、以下のような従来技術がある。
従来、電子情報を要求するユーザが携帯機器を利用して所望する電子情報を容易に取得でき、課金に関する手続きも容易に行えるようにするため、ユーザからの電子情報取得要求に応じて情報検索サーバがネットワーク通信網上の配信サーバに登録された電子情報をユーザに提供する際に、ユーザを識別するための識別情報を記憶している携帯機器からその識別情報を受信し、受信した識別情報に基づいて、携帯機器に対してサービスを提供するサービスサーバがユーザの認証を行い、ユーザの認証データを携帯機器のメモリに登録させ、そして、ＭＦＰシステム又はパーソナルコンピュータを介した携帯機器からの電子情報取得要求に応じて情報検索サーバがその認証データによりユーザ確認を行い、要求された電子情報を配信サーバからユーザに提供するものがある（例えば、特許文献１参照）。
【０００８】
しかしながら、上記特許文献１では、携帯機器からの電子情報取得要求に応じて情報検索サーバがその認証データによりユーザ確認を行い、要求された電子情報を配信サーバからパーソナルコンピュータに提供するが、課金処理のセキュリティが確保されていないので、安心して安全な課金処理を実施することができず、個人認証の情報であるアカウント情報の入力負担が大であるという問題を解決することができない。
【０００９】
また、従来、インターネット等の情報通信網の利用時に、正確な課金処理を行いつつ、利用者のサービス向上に寄与する応答器、移動体通信端末、埋め込み型通信機及び制御委譲プログラムを記録した記録媒体を提供するため、埋め込み型通信機は、情報の要求を応答器に送信し、応答器からの加入者回線に関連するＩＤを受信する送信／受信部と、送信／受信部により受信されたＩＤに対応する加入者回線を利用して、サービス提供者と通信回線を確立する制御を行う制御部とを備え、制御部は、制御部と通信回線により接続されるＰＣとサービス提供者との通信制御を行うものがある（例えば、特許文献２参照）。
【００１０】
しかしながら、上記特許文献２では、インターネット等の情報通信網の利用時に、正確な課金処理を行いつつ、利用者のサービス向上に寄与することが開示されているが、前述のように、課金処理のセキュリティが確保されていないので、安心して安全な課金処理を実施することができず、個人認証の情報であるアカウント情報の入力負担が大であるという問題を解決することができない。
【００１１】
また、従来、インターネット等を用いてサービスを提供する場合に、過度に複雑化することなくセキュリティを強化する個人認証システムの提供を目的とし、サービス提供装置は、サービス対象者として事前登録されている会員の情報を記憶する会員データベースと、オープンな情報通信路を用いて会員であることを認証する基本認証手段と、会員データベースに事前に登録した移動体通信端末を経由した認証を実行する移動体通信経由認証手段とを備え、被認証者側は、サービス提供装置とオープンな情報通信路で接続されたサービス端末と、会員データベースに登録されている移動体通信端末を備えており、この構成により、オープンな情報通信路と移動体通信路の２つの通信路で認証を行うことが可能となるものがある（例えば、特許文献３参照）。
【００１２】
しかしながら、上記特許文献３では、オープンな情報通信路と移動体通信路の２つの通信路で認証を行い、セキュリティを強化しているが、２つの通信路を用いて認証を行うので処理が複雑になるという別の問題があり、さらに、別々にアカウント情報の入力を行うので、前述のように、個人認証の情報であるアカウント情報の入力負担が大であるという問題を解決することができない。
【００１３】
また、従来、クレジットカード番号の登録を必要とせず安全性が高くなるように、ＰＣからなる受信装置から配信サーバへ接続し購入要求をすると、サーバはその装置に、その装置を一意に識別するＩＤRを与え、その装置ＩＤRとサーバのＩＤSの組を記憶し、これらＩＤRとＩＤSと課金サーバのアドレスを装置へ送り、装置はこれらを表示し、これを見て利用者は携帯端末をサーバに接続してＩＤR,ＩＤSを入力して送り、かつ電話番号も自動的に送る。サーバはＩＤRと電話番号の組を記憶し、ＩＤRをサーバへ送り、サーバはＩＤRに基づき共通鍵を装置に送り、配信される暗号化コンテンツの復号を可能にし、コンテンツの視聴終了をサーバへ送ると、サーバは課金情報を作り、ＩＤRと共にサーバへ送りサーバは、そのＩＤRの電話番号に課金を加算するものがある（例えば、特許文献４参照）。
【００１４】
しかしながら、上記特許文献４では、個人認証の情報を入力し、暗号化を行っているが、前述のように、暗号強度等の専門的な知識が無くても安心して安全な課金処理を実施することができず、個人認証の情報であるアカウント情報の入力負担が大であるという問題を解決することができない。
また、従来、個人認証を行ったコンテンツの取得を容易にすることを可能とするため、パーソナルコンピュータのコンテンツ取得要求に基づいてメール配信サーバからパーソナルコンピュータに有料サイトのアドレスを送信し、携帯電話機により有料サイトのアドレスにアクセスしてＩＤ番号及びパスワードの入力により登録を行い有料サイトでのコンテンツ利用契約を行うと、登録に基づいてＩＤ番号及びパスワードに応じた個人認証用のプログラムが作成され、作成された個人認証用のプログラムを携帯電話機によりダウンロードし、コンテンツサーバは、個人認証が行われた場合にパーソナルコンピュータによるコンテンツの取得を可能にし、課金サーバでは、パーソナルコンピュータによるコンテンツの取得に基づいてコンテンツ情報料から個人認証などの手数料を引いた料金を集計することを特徴とするものがある（例えば、特許文献５参照）。
【００１５】
しかしながら、上記特許文献５では、コンテンツサーバは、携帯電話機により個人認証が行われた場合にパーソナルコンピュータによるコンテンツの取得を可能にし、課金サーバでは、パーソナルコンピュータによるコンテンツの取得に基づいてコンテンツ情報料から個人認証などの手数料を引いた料金を集計し、コンテンツの取得を容易にするが、前述のように、課金処理のセキュリティが確保されていないので、安心して安全な課金処理を実施することができず、個人認証の情報であるアカウント情報の入力負担が大であるという問題を解決することができない。
【００１６】
【特許文献１】特開２００３−３３０８９１号公報
【特許文献２】特開２００２−１１８４９１号公報
【特許文献３】特開２００１−１１１５４５号公報
【特許文献４】特開２００２−３３４２７８号公報
【特許文献５】特開２００４−５５８４号公報
【発明の開示】
【発明が解決しようとする課題】
【００１７】
したがって、本発明は上記問題点に鑑みて、安心して安全な課金処理を実施することができ、個人認証の情報であるアカウント情報を入力する負担を軽減することができるインターネットサービス課金システム、方法、プログラム、携帯電話機、パーソナルコンピュータ及びサーバーを提供することを目的とする。
【課題を解決するための手段】
【００１８】
本発明は前記問題点を解決するために、インターネット上の有料サービスの課金を行うインターネットサービス課金システムにおいて、プライベートネットワークに接続され、前記プライベートネットワークに入るエンドユーザの接続アカウントを個人認証の情報として保持し、課金処理を行う課金サーバーと、インターネットに接続され、コンテンツ、課金アプレットを保持し、前記課金サーバーから課金情報を取得し、課金処理を確認した場合にはコンテンツをエンドユーザにダウンロードするコンテンツサーバ−と、入力した接続アカウントがエンドユーザの接続アカウントであることを確認して接続アカウントを用いて前記プライベートネットワークに入り、前記課金サーバーにエンドユーザの認証、課金処理を行わせる携帯電話機と、前記携帯電話機と専用ケーブルで分離可能に接続され、前記コンテンツサーバーに前記インターネットを経由して接続し前記コンテンツサーバーへの接続要求を行い、前記課金アプレットをダウンロードし、前記専用ケーブルを経由して、ダウンロードした前記課金アプレットにより接続アカウントを前記携帯電話機に出力し前記携帯電話機で接続アカウントの確認後、接続アカウントを用いて前記プライベートネットワークに入り、前記課金サーバーに課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行うパーソナルコンピュータとを備えることを特徴とするインターネットサービス課金システムを提供する。
【００１９】
さらに、前記コンテンツサーバーと前記課金サーバーとはセキュリティが確保された通信線で接続される。
さらに、前記パーソナルコンピュータにはカードリーダが接続され、前記課金サーバーにはエンドユーザの個人認証の情報を証明書として保持させ、前記パーソナルコンピュータの前記課金アプレットにより前記カードリーダからＩＣカードの個人の証明書を取得させ、前記携帯電話機を経由して、接続アカウントを用いて前記プライベートネットワークに入り、前記課金サーバーに対して取得した前記ＩＣカードの個人の証明書でエンドユーザの認証をさせ、課金処理を行わせる。
【００２０】
さらに、本発明は、インターネット上の有料サービスの課金を行うインターネットサービス課金システムにおいて、プライベートネットワークに接続され、前記プライベートネットワークに入るエンドユーザの接続アカウントを個人認証の情報として保持し、課金処理を行う課金サーバーと、インターネットに接続され、コンテンツ、課金アプレットを保持し、前記課金サーバーから課金情報を取得し、課金処理を確認した場合にはコンテンツをエンドユーザにダウンロードするコンテンツサーバ−と、入力した接続アカウントがエンドユーザの接続アカウントであることを確認して接続アカウントを用いて前記プライベートネットワークに入り、前記課金サーバーにエンドユーザの認証、課金処理を行わせるパーソナルコンピュータと、前記パーソナルコンピュータと専用ケーブルで分離可能に接続され、前記コンテンツサーバーに前記インターネットを経由して接続し前記コンテンツサーバーへの接続要求を行い、前記課金アプレットをダウンロードし、前記専用ケーブルを経由して、ダウンロードした前記課金アプレットにより接続アカウントを前記パーソナルコンピュータに出力し前記パーソナルコンピュータで接続アカウントの確認後、接続アカウントを用いて前記プライベートネットワークに入り、前記課金サーバーに課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行う携帯電話機とを備えることを特徴とするインターネットサービス課金システムを提供する。
【００２１】
さらに、本発明は、インターネット上の有料サービスの課金を行うインターネットサービス課金システムにおいて、プライベートネットワークに接続され、前記プライベートネットワークに入るエンドユーザの証明書を個人認証の情報として保持し、課金処理を行う課金サーバーと、インターネットに接続され、コンテンツ、課金アプレットを保持し、前記課金サーバーから課金情報を取得し、課金処理を確認した場合にはコンテンツをエンドユーザにダウンロードするコンテンツサーバ−と、カードリーダが接続され、さらに、前記コンテンツサーバーに前記インターネットを経由して接続し前記コンテンツサーバーへの接続要求を行い、前記課金アプレットをダウンロードし、ダウンロードした前記課金アプレットにより前記カードリーダからＩＣカードの個人の証明書を取得させ、前記接続アカウントを用いて前記プライベートネットワークに入り前記課金サーバーに対して取得した前記ＩＣカードの個人の証明書でエンドユーザの認証をさせ、課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行う携帯電話機とを備えることを特徴とするインターネットサービス課金システムを提供する。
【００２２】
さらに、本発明は、インターネット上の有料サービスの課金を行うインターネットサービス課金システムにおいて、プライベートネットワークに接続され、前記プライベートネットワークに入るエンドユーザの証明書を個人認証の情報として保持し、課金処理を行う課金サーバーと、インターネットに接続され、コンテンツ、課金アプレットを保持し、前記課金サーバーから課金情報を取得し、課金処理を確認した場合にはコンテンツをエンドユーザにダウンロードするコンテンツサーバ−と、カードリーダが接続され、さらに、前記コンテンツサーバーに前記インターネットを経由して接続し前記コンテンツサーバーへの接続要求を行い、前記課金アプレットをダウンロードし、ダウンロードした前記課金アプレットにより前記カードリーダからＩＣカードの個人の証明書を取得させ、前記接続アカウントを用いて前記プライベートネットワークに入り前記課金サーバーに対して取得した前記ＩＣカードの個人の証明書でエンドユーザの認証をさせ、課金処理を行わせ、前記課金サーバーから課金処理完了の通知を得た場合、コンテンツの要求を行い、前記コンテンツサーバーが前記課金サーバーから課金処理を確認した場合には前記コンテンツサーバーから前記インターネットを経由してコンテンツをダウンロードし、ダウンロードしたコンテンツの実行を行うパーソナルコンピュータとを備えることを特徴とするインターネットサービス課金システムを提供する。
【００２３】
さらに、本発明は、インターネット上の有料サービスの課金を行うインターネットサービス課金方法において、プライベートネットワーク上の課金サーバーにエンドユーザの接続アカウントを個人認証の情報として保持する工程と、前記インターネット上のコンテンツサーバーにコンテンツ、課金アプレットを保持する工程と、パーソナルコンピュータと携帯電話機とが分離可能な専用ケーブルで接続されるのを確認する工程と、前記パーソナルコンピュータから前記インターネット上の前記コンテンツサーバーへの接続を要求して前記パーソナルコンピュータに前記課金アプレットをダウンロードする工程と、ダウンロードした前記課金アプレットにより前記パーソナルコンピュータから前記携帯電話機にエンドユーザの前記接続アカウントを確認させる工程と、前記携帯電話機で前記接続アカウントの確認後、前記携帯電話機から前記接続アカウントを用いて前記プライベートネットワークに入る工程と、前記プライベートネットワークに入った後、前記接続アカウントを用いて前記課金サーバーにエンドユーザの認証をさせ、認証されたエンドユーザに対して課金処理を行う工程と、
【００２４】
前記課金サーバーから前記パーソナルコンピュータに課金処理完了の通知があった場合、前記パーソナルコンピュータから前記コンテンツサーバーにコンテンツの要求を行う工程と、前記コンテンツの要求があった場合、通信線を経由して前記課金サーバーからの取得した課金処理を確認し前記コンテンツサーバーから前記パーソナルコンピュータにコンテンツをダウンロードし、前記パーソナルコンピュータにダウンロードした前記コンテンツを実行させる工程とを備えることを特徴とするインターネットサービス課金方法を提供する。
さらに、本発明は、インターネット上の有料サービスの課金を行うインターネットサービス課金をコンピュータで実行するプログラムにおいて、プライベートネットワーク上の課金サーバーにエンドユーザの接続アカウントを個人認証の情報として保持する手順と、前記インターネット上のコンテンツサーバーにコンテンツ、課金アプレットを保持する手順と、パーソナルコンピュータと携帯電話機とが分離可能な専用ケーブルで接続されるのを確認する手順と、
【００２５】
前記パーソナルコンピュータから前記インターネット上の前記コンテンツサーバーへの接続を要求して前記パーソナルコンピュータに前記課金アプレットをダウンロードする手順と、ダウンロードした前記課金アプレットにより前記パーソナルコンピュータから前記携帯電話機にエンドユーザの前記接続アカウントを確認させる手順と、前記携帯電話機で前記接続アカウントの確認後、前記携帯電話機から前記接続アカウントを用いて前記プライベートネットワークに入る手順と、前記プライベートネットワークに入った後、前記接続アカウントを用いて前記課金サーバーにエンドユーザの認証をさせ、認証されたエンドユーザに対して課金処理を行う手順と、前記課金サーバーから前記パーソナルコンピュータに課金処理完了の通知があった場合、前記パーソナルコンピュータから前記コンテンツサーバーにコンテンツの要求を行う手順と、前記コンテンツの要求があった場合、通信線を経由して前記課金サーバーからの取得した課金処理を確認し前記コンテンツサーバーから前記パーソナルコンピュータにコンテンツをダウンロードし、前記パーソナルコンピュータにダウンロードした前記コンテンツを実行させる手順とを備えることを特徴とするインターネットサービス課金をコンピュータで実行するプログラムを提供する。
【００２６】
さらに、本発明は、インターネット上の有料サービスの課金を行うための携帯電話機において、前記携帯電話機からプライベートネットワークに入るためのエンドユーザの接続アカウントを保持する接続アカウント保持部と、前記携帯電話機に接続され、エンドユーザのＩＣカードの個人の証明書を取得し、取得した個人の証明書を用いて前記プライベートネットワーク上の課金サーバーに認証をさせ、課金処理をさせるためのカードリーダと、前記携帯電話機からインターネット上のコンテンツサーバーへの接続要求時に課金アプレットをダウンロードし、ダウンロードした前記課金アプレットにより、前記接続アカウント保持部に保持されている接続アカウントを用いて前記携帯電話機から前記プライベートネットワークに入り、前記カードリーダから取得したＩＣカードの個人の証明書を用いて前記課金サーバーに課金処理させ、前記課金サーバーから課金処理完了の通知を得た場合、コンテンツの要求を行い、前記コンテンツサーバーが前記課金サーバーから課金処理を確認した場合、前記コンテンツサーバーから前記携帯電話機にコンテンツのダウンロードを行わせる課金アプレット実行部とを備えることを特徴とする携帯電話機を提供する。
【００２７】
さらに、本発明は、インターネット上の有料サービスの課金を行うためのパーソナルコンピュータにおいて、前記パーソナルコンピュータからプライベートネットワークに入るためのエンドユーザの接続アカウントを保持する接続アカウント保持部と、前記パーソナルコンピュータに接続され、エンドユーザのＩＣカードの個人の証明書を取得し、取得した個人の証明書を用いて前記プライベートネットワーク上の課金サーバーに認証をさせ、課金処理をさせるためのカードリーダと、前記パーソナルコンピュータからインターネット上のコンテンツサーバーへの接続要求時に課金アプレットをダウンロードし、ダウンロードした前記課金アプレットにより、前記接続アカウント保持部に保持されている接続アカウントを用いて前記パーソナルコンピュータから前記プライベートネットワークに入り、前記カードリーダから取得したＩＣカードの個人の証明書を用いて前記課金サーバーに課金処理させ、前記課金サーバーから課金処理完了の通知を得た場合、コンテンツの要求を行い、前記コンテンツサーバーが前記課金サーバーから課金処理を確認した場合、前記コンテンツサーバーから前記パーソナルコンピュータにコンテンツのダウンロードを行わせる課金アプレット実行部とを備えることを特徴とするパーソナルコンピュータを提供する。
【００２８】
さらに、本発明は、インターネット上の有料サービスの課金を行うためのサーバーにおいて、プライベートネットワークに接続され、前記プライベートネットワークに入るエンドユーザの接続アカウントを個人認証の情報として保持し、専用ケーブルで分離可能に携帯電話機に接続されたパーソナルコンピュータから入力した接続アカウントがエンドユーザの接続アカウントであることを携帯電話機で確認して接続アカウントを用いて前記携帯電話機から前記プライベートネットワークに入ったエンドユーザの接続アカウントに対してエンドユーザの認証、課金処理を行う課金サーバーと、インターネットに接続され、コンテンツ、課金アプレットを保持し、前記パーソナルコンピュータから前記インターネットを経由して接続要求を行い、前記課金アプレットをダウンロードし、ダウンロードした前記課金アプレットにより前記携帯電話機を経由して前記課金サーバーに課金処理を行わせ、前記課金サーバーから課金処理完了の通知を得た場合、コンテンツの要求を行わせ、通信線を経由して前記課金サーバーから課金情報を取得し、取得した課金処理を確認した場合にはコンテンツをエンドユーザである前記パーソナルコンピュータにダウンロードし前記パーソナルコンピュータにコンテンツを実行させるコンテンツサーバ−とを備えることを特徴とする、インターネット上の有料サービスの課金を行うためのサーバーを提供する。
【発明の効果】
【００２９】
以上説明したように、本発明によれば、パーソナルコンピュータにコンテンツをダウンロードする際に、携帯電話機を経由してエンドユーザが安心して安全な課金処理を実施することが可能になる。その理由は、インターネットはパブリックなネットワークであり、暗号化技術を用いたとしても、暗号強度等の専門知識が無いと、安心して課金処理を実施することができないため、プライベートネットワークを用いて物理的に外部からの進入を防ぐことにより専門的な知識が無くても安心して安全な課金処理を実施することが可能になるためである。
【００３０】
さらに、エンドユーザが個人認証の情報であるアカウント情報を入力せずとも、簡単に課金処理を実施できる。その理由は、プライベートネットワークへの接続アカウントを課金の認証に使用するため、エンドユーザがパーソナルコンピュータと携帯電話機とを専用ケーブルで接続し、課金アプレットをダウンロードして実行するだけで、安心して安全な課金処理が実施可能なためである。
【発明を実施するための最良の形態】
【００３１】
以下、本発明の実施の形態に図面を参照して説明する。
図１は本発明に係るインターネットサービス課金システムの概略構成を示すブロック図である。本図に示すように、インターネットサービスの課金システムはプログラム制御により動作し、図１１と比較して、携帯電話機１０１にはパケット通信機能が備えられ、さらに、携帯電話ネットワーク１０３にはプライベートネットワーク接続プロバイダ１０９を経由してプライベートネットワーク１１０が接続され、プライベートネットワーク１０９は閉じたネットワークであり、プライベートネットワーク接続プロバイダ１０９は接続アカウントの認証を条件として携帯電話ネットワーク１０３からプライベートネットワーク１１０への接続を行う。
【００３２】
すなわち、接続アカウントのない携帯電話機１０１の情報は外部である携帯電話ネットワーク１０３からプライベートネットワーク１０９に物理的に進入することができない。
これにより、後述する課金サーバー１１１で個人認証に使用される課金情報である接続アカウントはインターネット１０５を通過しないので暗号化処理する必要がなくなり、接続アカウントのセキュリティを確保することが可能になる。
【００３３】
さらに、プライベートネットワーク１１０には課金サーバー１１１が接続され、課金サーバー１１１は接続アカウント、課金を管理する。前述のように、接続アカウントは個人を認証するための個人の課金情報して使用される。
さらに、サービスプロバイダ１０８にはコンテンツサーバ−１０８Ｂが設けられ、コンテンツサーバ−１０８Ｂには課金アプレット保持部１０８Ｃ、コンテンツ保持部１０８Ｄが接続される。
【００３４】
課金アプレット保持部１０８Ｃはエンドユーザ１００に課金手続きを実行させる課金アプレットを保持し、コンテンツ保持部１０８Ｄはエンドユーザ１００に有料で提供するコンテンツを保持する。
コンテンツサーバ−１０８Ｂは課金アプレット保持部１０８Ｃから課金アプレットをダウンロードし、さらに、コンテンツサーバ−１０８Ｂからコンテンツをダウンロードする。
【００３５】
課金サーバー１１１とコンテンツサーバ−１０８Ｂとの間には通信線１１３が接続され、通信線１１３はセキュリティが確保され、通信線１１３を経由して、課金サーバー１１１からコンテンツサーバ−１０８Ｂに課金情報が送信される。
携帯電話機１０１とパーソナルコンピュータ１０６とは専用ケーブル１１２で分離可能に接続される。
【００３６】
パーソナルコンピュータ１０６には接続アカウント保持部１０６Ａが設けられ、接続アカウント保持部１０６Ａはプライベートネットワーク１１０に入る接続アカウントを保持する。
さらに、パーソナルコンピュータ１０６には課金アプレット実行部１０６Ｂが設けられ、課金アプレット実行部１０６Ｂはサービスプロバイダ１０８の課金アプレット保持部１０８Ｃからダウンロードした課金アプレットを実行する。
【００３７】
携帯電話機１０１には接続アカウント保持部１０１Ａが設けられ、接続アカウント保持部１０１Ａはパーソナルコンピュータ１０６の接続アカウント保持部１０６Ａに保持される接続アカウントと同一の接続アカウントを保持する。
さらに、携帯電話機１０１には接続アカウント判断部１０１Ｂが設けられ、接続アカウント判断部１０１Ｂはパーソナルコンピュータ１０６から携帯電話機１０１に専用ケーブル１１２を経由して送信された接続アカウントを接続アカウント保持部１０１Ａに保持されている接続アカウントを比較し、同一と確認した場合にはプライベートネットワーク接続プロバイダ１０９、プライベートネットワーク１１０を経由して携帯電話機１０１を課金サーバー１１１に接続させる。
【００３８】
この場合、パーソナルコンピュータ１０６、携帯電話機１０１にはそれぞれ課金情報である接続アカウントが保持されるが、パーソナルコンピュータ１０６、携帯電話機１０１単独では課金サーバー１１１には接続不可能である。エンドユーザ１００が専用ケーブル１１２を経由してパーソナルコンピュータ１０６と携帯電話機１０１と接続することが条件となっているためである。したがって、プライベートネットワーク１１０への接続アカウントを利用して課金の認証を実施し、サービスに対する課金を実施することを可能にするため、エンドユーザ１００がコンテンツ実行要求毎に個人認証に使用する情報であるアカウント情報を入力する必要がなくなり、エンドユーザ１００の入力負担が無くなる。以下に、上記構成の動作を詳細に説明する。
【００３９】
図２は図１におけるインターネットサービス課金システムの動作を説明するシーケンス図である。
本図に示すように、シーケンス２０１において、エンドユーザ１００は、パーソナルコンピュータ１０６に対してコンテンツサーバー１０８Ａへの接続を要求する。
シーケンス２０２において、パーソナルコンピュータ１０６はサービスプロバイダ１０８のコンテンツサーバ−１０８Ｂにインターネット１０５を経由して接続する。
【００４０】
シーケンス２０３において、コンテンツサーバ−１０８Ｂは、接続のあったパーソナルコンピュータ１０６に対して、課金アプレット保持部１０８Ｃから課金アプレットをダウンロードする。
シーケンス２０４において、パーソナルコンピュータ１０６では課金アプレット実行部１０６Ｂがダウンロードした課金アプレットを以下のように実行する。
【００４１】
シーケンス２０５において、課金アプレット実行部１０６Ｂは、パーソナルコンピュータ１０６と携帯電話機１０１との専用ケーブルでの接続を確認後、パーソナルコンピュータ１０６から携帯電話機１０１に、専用ケーブル１１２を経由して、接続アカウント保持部１０６Ａに保持されている接続アカウントを送信し、接続アカウント判断部１０１Ｂで接続アカウント保持部１０１Ａに保持されている接続アカウントと送信された接続アカウントを比較し、一致、又は、不一致の判断を行う。
【００４２】
シーケンス２０６において、課金アプレット実行部１０６Ｂは、接続アカウントの一致の場合には、基地局１０２、携帯電話ネットワーク１０３を経由して、接続アカウントを用いてプライベートネットワーク接続プロバイダ１０９からプライベートネットワーク１０９に入り、携帯電話機１０１のパケット通信機能を利用して、携帯電話機１０１を課金サーバー１１１と接続させる。不一致の場合にはこの接続を行わない。
【００４３】
シーケンス２０７において、課金アプレット実行部１０６Ｂによりプライベートネットワーク１０９を経由して携帯電話機１０１が課金サーバー１１１に接続すると、課金サーバー１１１はプライベートネットワーク１０９の接続アカウントを使用して課金の認証を実施し、サービスに対する課金処理を実施し、プライベートネットワーク１１０、プライベートネットワーク接続プロバイダ１０９、携帯電話ネットワーク１０３、基地局１０２、携帯電話機１０１を経由して、パーソナルコンピュータ１０６に接続アカウントを用いた課金処理を完了したという通知を行う。
【００４４】
シーケンス２０８において、パーソナルコンピュータ１０６では、課金サーバー１１１から課金処理の完了通知があると、課金アプレット実行部１０６Ｂはインターネット１０５を経由してサービスプロバイダ１０８のコンテンツサーバ−１０８Ｂに接続し、コンテンツ保持部１０８Ｄからパーソナルコンピュータ１０６にコンテンツをダウンロードするように要求する。
【００４５】
シーケンス２０９において、課金アプレット実行部１０６Ｂは、通信線１１３を経由してコンテンツサーバ−１０８Ｂと課金サーバー１１１とを接続させる。
シーケンス２１０において、コンテンツサーバ−１０８Ｂから課金サーバー１１１に課金情報を問合させ、課金サーバー１１１は課金情報をコンテンツサーバ−１０８Ｂに応答し、コンテンツサーバ−１０８Ｂは課金情報を取得する。
【００４６】
シーケンス２１１において、コンテンツサーバ−１０８Ｂは取得した課金情報を確認する。
シーケンス２１２において、パーソナルコンピュータ１０６の課金アプレット実行部１０６Ｂからのダウンロードの要求に応答し、コンテンツ保持部１０８Ｄに保持されているコンテンツをダウンロードする。
【００４７】
シーケンス２１３において、パーソナルコンピュータ１０６の課金アプレット実行部１０６Ｂでは、ダウンロードしたコンテンツをパーソナルコンピュータ１０６に保存し、コンテンツを実行（再生）する。
このようにして、エンドユーザ１００が課金を実施し、有料のコンテンツを実行（再生）することを可能にする。
【００４８】
したがって、本発明によれば、パーソナルコンピュータ１０６にコンテンツをダウンロードする際に、携帯電話機１０１を経由してエンドユーザ１００が安心して安全な課金処理を実施することが可能になる。その理由は、インターネット１０５はパブリックなネットワークであり、暗号化技術を用いたとしても、暗号強度等の専門知識が無いと、安心して課金処理を実施することができないため、プライベートネットワーク１１０を用いて物理的に外部からの進入を防ぐことにより専門的な知識が無くても安心して安全な課金処理を実施することが可能になるためである。
【００４９】
さらに、エンドユーザ１００が個人認証の情報であるアカウント情報を入力せずとも、簡単に課金処理を実施できる。その理由は、プライベートネットワーク１１０への接続アカウントを課金の認証に使用するため、エンドユーザ１００がパーソナルコンピュータ１０６と携帯電話機１０１とを専用ケーブル１１２で接続し、課金アプレットをダウンロードして実行するだけで、安心して安全な課金処理が実施可能なためである。
【実施例１】
【００５０】
図３は図１の第１の変形例に係るインターネットサービス課金システムの概略構成を示すブロック図である。本図に示すように、図１と比較して、パーソナルコンピュータ１０６にカードリーダ１１４が接続され、カードリーダ１１４はＩＣ（集積回路）カードから個人の証明書を取得する。
前述の例では、課金サーバー１１１は個人認証の情報としてプライベートネットワーク１１０への接続アカウントを課金情報として用いたが、これに代わり、ＩＣカードの個人の証明書を課金情報として管理する。以下に、上記構成の動作を詳細に説明する。
【００５１】
図４は図３におけるインターネットサービス課金システムの動作を説明するシーケンス図である。本図に示すように、図２と比較して、シーケンス３０７において、課金アプレット実行部１０６Ｂによりプライベートネットワーク１０９を経由して携帯電話機１０１が課金サーバー１１１に接続すると、課金アプレット実行部１０６Ｂはカードリーダ１１４に挿入されているＩＣカードから個人の証明書を取得し、取得した個人の証明書に対して、携帯電話機１０１、基地局１０２、携帯電話ネットワーク１０３、プライベートネットワーク接続プロバイダ１０９、プライベートネットワーク１１０を経由して、課金サーバー１１１に対して、個人の証明書の認証を実施させ、課金サーバー１１１から、プライベートネットワーク１１０、プライベートネットワーク接続プロバイダ１０９、携帯電話ネットワーク１０３、基地局１０２、携帯電話機１０１を経由して、パーソナルコンピュータ１０６にＩＣカードの個人の証明書を用いた課金処理を完了したという通知を行わせる。
【００５２】
シーケンス３０８において、携帯電話機１０１では、課金サーバー１１１から課金処理の完了通知があると、課金アプレット実行部１０６Ｂはインターネット１０５を経由してコンテンツサーバ−１０８Ｂのコンテンツサーバ−１０８Ｂに接続し、コンテンツ保持部１０８Ｄから携帯電話機１０１にコンテンツをダウンロードするように要求する。
シーケンス３１０において、コンテンツサーバ−１０８Ｂから課金サーバー１１１に課金情報を問合させ、課金サーバー１１１は課金情報をコンテンツサーバ−１０８Ｂに応答し、コンテンツサーバ−１０８Ｂは課金情報を取得する。
上記シーケンス以外の他のシーケンスは図２と同様である。
【００５３】
このようにして、近年、ＩＣカードリーダ１１４が普及しつつあるので、この場合には、さらに、安心して安全な課金処理が可能になる。
【実施例２】
【００５４】
図５は図１の第２の変形例に係るインターネットサービス課金システムの概略構成を示すブロック図である。本図に示すように、図１と比較して、パーソナルコンピュータ１０６にはパケット通信機能が備えられ、パーソナルコンピュータ１０６が、固定電話ネットワーク１０７、プライベートネットワーク接続プロバイダ１０９を経由して、プライベートネットワーク１１０に接続されるとする。この場合、携帯電話機１０１では基地局１０２、携帯電話ネットワーク１０３、インターネット接続プロバイダ１０４を経由してインターネット１０５に接続され、サービスプロバイダ１０８に接続可能である。
【００５５】
パーソナルコンピュータ１０６には接続アカウント保持部１０６Ａが設けられ、接続アカウント保持部１０６Ａは携帯電話機１０１の接続アカウント保持部１０１Ａに保持される接続アカウントと同一の接続アカウントを保持する。
さらに、パーソナルコンピュータ１０６には接続アカウント判断部１０６Ｃが設けられ、接続アカウント判断部１０６Ｃは携帯電話機１０１からパーソナルコンピュータ１０６に専用ケーブル１１２を経由して送信された接続アカウントを接続アカウント保持部１０６Ａに保持されている接続アカウントを比較し、同一の場合には課金サーバー１１１への接続を行わせる。
【００５６】
携帯電話機１０１には接続アカウント保持部１０６Ａが設けられ、接続アカウント保持部１０６Ａはプライベートネットワーク１１０に入る接続アカウントを保持する。
さらに、携帯電話機１０１には課金アプレット実行部１０１Ｃが設けられ、課金アプレット実行部１０１Ｃはサービスプロバイダ１０８の課金アプレット保持部１０８Ｃからダウンロードした課金アプレットを実行する。以下に、上記構成の動作を詳細に説明する。
【００５７】
図６は図５におけるインターネットサービス課金システムの動作を説明するシーケンス図である。
本図に示すように、シーケンス４０１において、エンドユーザ１００は、携帯電話機１０１に対してコンテンツサーバー１０８Ｂへの接続を要求する。
シーケンス４０２において、携帯電話機１０１はサービスプロバイダ１０８のコンテンツサーバ−１０８Ｂにインターネット１０５を経由して接続する。
【００５８】
シーケンス４０３において、コンテンツサーバ−１０８Ｂは、接続のあった携帯電話機１０１に対して、課金アプレット保持部１０８Ｃから課金アプレットをダウンロードする。
シーケンス４０４において、携帯電話機１０１では課金アプレット実行部１０１Ｃがダウンロードした課金アプレットを以下のように実行する。
【００５９】
シーケンス４０５において、課金アプレット実行部１０Ｃ１は、携帯電話機１０１からパーソナルコンピュータ１０６に、専用ケーブル１１２を経由して、接続アカウント保持部１０６Ａに保持されている接続アカウントを送信し、接続アカウント判断部１０１Ｂで接続アカウント保持部１０１Ａに保持されている接続アカウントと送信された接続アカウントを比較し、一致、又は、不一致の判断を行う。
【００６０】
シーケンス４０６において、課金アプレット実行部１０１Ｃは、パーソナルコンピュータ１０６と携帯電話機１０１との専用ケーブルでの接続を確認後、接続アカウントの一致の場合には、固定電話ネットワーク１０７を経由して、接続アカウントを用いてプライベートネットワーク接続プロバイダ１０９からプライベートネットワーク１０９に入り、パーソナルコンピュータ１０６のパケット通信機能を利用して、パーソナルコンピュータ１０６を課金サーバー１１１と接続させる。不一致の場合にはこの接続を行わない。
【００６１】
シーケンス４０７において、課金アプレット実行部１０１Ｃによりプライベートネットワーク１０９を経由してパーソナルコンピュータ１０６が課金サーバー１１１に接続すると、課金サーバー１１１はプライベートネットワーク１０９の接続アカウントを使用して課金の認証を実施し、サービスに対する課金処理を実施し、プライベートネットワーク１１０、プライベートネットワーク接続プロバイダ１０９、固定電話ネットワーク１０７、パーソナルコンピュータ１０６を経由して、携帯電話機１０１に接続アカウントを用いた課金処理を完了したという通知を行う。
【００６２】
シーケンス４０８において、携帯電話機１０１では、課金サーバー１１１から課金処理の完了通知があると、課金アプレット実行部１０１Ｃはインターネット１０５を経由してサービスプロバイダ１０８のコンテンツサーバ−１０８Ｂに接続し、コンテンツ保持部１０８Ｄから携帯電話機１０１にコンテンツをダウンロードするように要求する。
シーケンス４０９において、課金アプレット実行部１０１Ｃは、通信線１１３を経由してコンテンツサーバ−１０８Ｂと課金サーバー１１１とを接続させる。
【００６３】
シーケンス４１０において、携帯電話機１０１から通知されたエンドユーザ１００のプライベートネットワーク１０９への接続アカウントを使用して、課金サーバー１１０に課金情報を問合させ、課金サーバー１１１は課金情報をコンテンツサーバ−１０８Ｂに応答し、コンテンツサーバ−１０８Ｂは課金情報を取得する。
シーケンス４１１において、コンテンツサーバ−１０８Ｂは取得した課金情報を確認する。
【００６４】
シーケンス４１２において、携帯電話機１０１の課金アプレット実行部１０１Ｃからのダウンロードの要求に応答し、コンテンツ保持部１０８Ｄに保持されているコンテンツをダウンロードする。
シーケンス４１３において、携帯電話機１０１の課金アプレット実行部１０１Ｃでは、ダウンロードしたコンテンツを携帯電話機１０１に保存し、コンテンツを実行（再生）する。
【００６５】
このようにして、エンドユーザ１００が課金を実施し、有料のコンテンツを実行（再生）することを可能にする。
したがって、本発明によれば、携帯電話機１０１にコンテンツをダウンロードする際に、パーソナルコンピュータ１０６を経由してエンドユーザ１００が安心して安全な課金処理を実施することが可能になる。その理由は、インターネット１０５はパブリックなネットワークであり、暗号化技術を用いたとしても、暗号強度等の専門知識が無いと、安心して課金処理を実施することができないため、プライベートネットワーク１１０を用いて物理的に外部からの進入を防ぐことにより専門的な知識が無くても安心して安全な課金処理を実施することが可能になるためである。
【００６６】
さらに、エンドユーザ１００が個人認証の情報であるアカウント情報を入力せずとも、簡単に課金処理を実施できる。その理由は、プライベートネットワーク１１０への接続アカウントを課金の認証に使用するため、エンドユーザ１００が携帯電話機１０１とパーソナルコンピュータ１０６とを専用ケーブル１１２で接続し、課金アプレットをダウンロードして実行するだけで、安心して安全な課金処理が実施可能なためである。
【実施例３】
【００６７】
図７は図１の第３の変形例に係るインターネットサービス課金システムの概略構成を示すブロック図である。本図に示すように、図１と比較して、携帯電話機１０１だけでコンテンツのダウンロードと課金処理を行う。
携帯電話機１０１には接続アカウント保持部１０１Ａ、課金アプレット実行部１０１Ｃが設けられ、カードリーダ１１４が接続される。以下に、上記構成の動作を詳細に説明する。
【００６８】
図８は図７におけるインターネットサービス課金システムの動作を説明するシーケンス図である。
本図に示すように、シーケンス５０１において、エンドユーザ１００は、携帯電話機１０１に対してコンテンツサーバー１０８Ｂへの接続を要求する。
シーケンス５０２において、携帯電話機１０１はサービスプロバイダ１０８のコンテンツサーバ−１０８Ｂにインターネット１０５を経由して接続する。
【００６９】
シーケンス５０３において、コンテンツサーバ−１０８Ｂは、接続のあった携帯電話機１０１に対して、課金アプレット保持部１０８Ｃから課金アプレットをダウンロードする。
シーケンス５０４において、携帯電話機１０１では課金アプレット実行部１０１Ｃがダウンロードした課金アプレットを以下のように実行する。
【００７０】
シーケンス５０５において、課金アプレット実行部１０１Ｃは、基地局１０２、携帯電話ネットワーク１０３を経由して、接続アカウント保持部１０１Ａに保持されている接続アカウントを用いてプライベートネットワーク接続プロバイダ１０９からプライベートネットワーク１０９に入り、携帯電話機１０１のパケット通信機能を利用して、携帯電話機１０１を課金サーバー１１１と接続させる。不一致の場合にはこの接続を行わない。
【００７１】
シーケンス５０６において、課金アプレット実行部１０１Ｃによりプライベートネットワーク１０９を経由して携帯電話機１０１が課金サーバー１１１に接続すると、課金アプレット実行部１０１Ｃはカードリーダ１１４に挿入されているＩＣカードから個人の証明書を取得し、課金サーバー１１１は、取得した個人の証明書に対して、個人の証明書の認証を実施し、サービスに対する課金処理を実施し、プライベートネットワーク１１０、プライベートネットワーク接続プロバイダ１０９を経由して、携帯電話機１０１に個人の証明書を用いた課金処理を完了したという通知を行う。
【００７２】
シーケンス５０７において、携帯電話機１０１では、課金サーバー１１１から課金処理の完了通知があると、課金アプレット実行部１０１Ｃはインターネット１０５を経由してコンテンツサーバ−１０８Ｂのコンテンツサーバ−１０８Ｂに接続し、コンテンツ保持部１０８Ｄからパーソナルコンピュータ１０６にコンテンツをダウンロードするように要求する。
【００７３】
シーケンス５０８において、コンテンツサーバ−１０８Ｂと課金サーバー１１１とを通信線１１３を経由して接続する。
シーケンス５０９において、コンテンツサーバ−１０８Ｂから課金サーバー１１１に課金情報を問合させ、課金サーバー１１１は課金情報をコンテンツサーバ−１０８Ｂに応答し、コンテンツサーバ−１０８Ｂは課金情報を取得する。
【００７４】
シーケンス５１０において、コンテンツサーバ−１０８Ｂは取得した課金情報を確認する。
シーケンス５１１において、携帯電話機１０１の課金アプレット実行部１０１Ｃからのダウンロードの要求に応答し、コンテンツ保持部１０８Ｄに保持されているコンテンツをダウンロードする。
【００７５】
シーケンス５１２において、携帯電話機１０１の課金アプレット実行部１０１Ｃでは、ダウンロードしたコンテンツを携帯電話機１０１に保存し、コンテンツを実行（再生）する。
このようにして、エンドユーザ１００が課金を実施し、有料のコンテンツを実行（再生）することを可能にする。
【００７６】
したがって、本発明によれば、プライベートネットワーク１１０とカードリーダ１１４を組み合わせて、携帯電話機１０１単独で、コンテンツのダウンロードに際し安心して安全な課金処理を実施し、簡単に課金処理を実施できることが可能になる。
【実施例４】
【００７７】
図９は図１の第４の変形例に係るインターネットサービス課金システムの概略構成を示すブロック図である。本図に示すように、図１と比較して、パーソナルコンピュータ１０６だけでコンテンツのダウンロードと課金処理を行う。
パーソナルコンピュータ１０６には接続アカウント保持部１０６Ａ、課金アプレット実行部１０６Ａが設けられ、カードリーダ１１４が接続される。以下に、上記構成の動作を詳細に説明する。
【００７８】
図１０は図９におけるインターネットサービス課金システムの動作を説明するシーケンス図である。
本図に示すように、シーケンス６０１において、エンドユーザ１００は、パーソナルコンピュータ１０６に対してコンテンツサーバー１０８Ｂへの接続を要求する。
シーケンス６０２において、パーソナルコンピュータ１０６はサービスプロバイダ１０８のコンテンツサーバ−１０８Ｂにインターネット１０５を経由して接続する。
【００７９】
シーケンス６０３において、コンテンツサーバ−１０８Ｂは、接続のあったパーソナルコンピュータ１０６に対して、課金アプレット保持部１０８Ｃから課金アプレットをダウンロードする。
シーケンス６０４において、パーソナルコンピュータ１０６では課金アプレット実行部１０１Ｃがダウンロードした課金アプレットを以下のように実行する。
【００８０】
シーケンス６０５において、課金アプレット実行部１０６Ｂは、固定電話ネットワーク１０７を経由して、接続アカウント保持部１０６Ａに保持されている接続アカウントを用いてプライベートネットワーク接続プロバイダ１０９からプライベートネットワーク１０９に入り、パーソナルコンピュータ１０６のパケット通信機能を利用して、パーソナルコンピュータ１０６を課金サーバー１１１と接続させる。不一致の場合にはこの接続を行わない。
【００８１】
シーケンス６０６において、課金アプレット実行部１０６Ｂによりプライベートネットワーク１０９を経由してパーソナルコンピュータ１０６が課金サーバー１１１に接続すると、課金アプレット実行部１０６Ｂはカードリーダ１１４に挿入されているＩＣカードから個人の証明書を取得し、課金サーバー１１１は、取得した個人の証明書に対して、個人の証明書の認証を実施し、サービスに対する課金を実施し、プライベートネットワーク１１０、プライベートネットワーク接続プロバイダ１０９、固定電話ネットワーク１０７を経由して、パーソナルコンピュータ１０６に個人の証明書を用いた課金処理を完了したという通知を行う。
【００８２】
シーケンス６０７において、パーソナルコンピュータ１０６では、課金アプレット実行部１０６Ｂはインターネット１０５を経由してコンテンツサーバ−１０８Ｂのコンテンツサーバ−１０８Ｂに接続し、コンテンツ保持部１０８Ｄからパーソナルコンピュータ１０６にコンテンツをダウンロードするように要求する。
シーケンス６０８において、コンテンツサーバ−１０８Ｂと課金サーバー１１１とを通信線１１３を経由して接続する。
【００８３】
シーケンス６０９において、コンテンツサーバ−１０８Ｂから課金サーバー１１１に課金情報を問合させ、課金サーバー１１１は課金情報をコンテンツサーバ−１０８Ｂに応答し、コンテンツサーバ−１０８Ｂは課金情報を取得する。
シーケンス６１０において、コンテンツサーバ−１０８Ｂは取得した課金情報を確認する。
【００８４】
シーケンス６１１において、パーソナルコンピュータ１０６の課金アプレット実行部１０１Ｃからのダウンロードの要求に応答し、コンテンツ保持部１０８Ｄに保持されているコンテンツをダウンロードする。
シーケンス６１２において、パーソナルコンピュータ１０６の課金アプレット実行部１０６Ｂでは、ダウンロードしたコンテンツをパーソナルコンピュータ１０６に保存し、コンテンツを実行（再生）する。
【００８５】
このようにして、エンドユーザ１００が課金を実施し、有料のコンテンツを実行（再生）することを可能にする。
したがって、本発明によれば、プライベートネットワーク１１０とカードリーダ１１４を組み合わせて、パーソナルコンピュータ１０６単独で、コンテンツのダウンロードに際し安心して安全な課金処理を実施し、簡単に課金処理を実施できることが可能になる。
【産業上の利用可能性】
【００８６】
以上の説明では、携帯電話機について説明を行ったが、携帯電話機に限らずＰＤＡ（携帯情報端末）、ＰＨＳ（簡易携帯電話機）にも適用可能である。
【図面の簡単な説明】
【００８７】
【図１】本発明に係るインターネットサービス課金システムの概略構成を示すブロック図である。
【図２】図１におけるインターネットサービス課金システムの動作を説明するシーケンス図である。
【図３】図１の第１の変形例に係るインターネットサービス課金システムの概略構成を示すブロック図である。
【図４】図３におけるインターネットサービス課金システムの動作を説明するシーケンス図である。
【図５】図１の第２の変形例に係るインターネットサービス課金システムの概略構成を示すブロック図である。
【図６】図５におけるインターネットサービス課金システムの動作を説明するシーケンス図である。
【図７】図１の第３の変形例に係るインターネットサービス課金システムの概略構成を示すブロック図である。
【図８】図７におけるインターネットサービス課金システムの動作を説明するシーケンス図である。
【図９】図１の第４の変形例に係るインターネットサービス課金システムの概略構成を示すブロック図である。
【図１０】図９におけるインターネットサービス課金システムの動作を説明するシーケンス図である。
【図１１】本発明の前提となるインターネットサービス課金システムの概略構成を説明するブロック図である。
【符号の説明】
【００８８】
１００…エンドユーザ
１０１…携帯電話機
１０１Ａ…接続アカウント保持部
１０１Ｂ…接続アカウント判断部
１０１Ｃ…課金アプレット実行部
１０２…基地局
１０３…携帯電話ネットワーク
１０４…インターネット接続プロバイダ
１０５…インターネット
１０６…パーソナルコンピュータ
１０６Ａ…接続アカウント保持部
１０６Ｂ…課金アプレット実行部
１０６Ｃ…接続アカウント判断部
１０７…固定電話ネットワーク
１０８…サービスプロバイダ
１０８Ｂ…コンテンツサーバ−
１０８Ｃ…課金アプレット保持部
１０８Ｄ…コンテンツ保持部
１０９…プライベートネットワーク接続プロバイダ
１１０…プライベートネットワーク
１１１…課金サーバー
１１２…専用ケーブル
１１３…通信線
１１４…カードリーダ
【図１】
2006190038.tif 000003
【図２】
2006190038.tif 000004
【図３】
2006190038.tif 000005
【図４】
2006190038.tif 000006
【図５】
2006190038.tif 000007
【図６】
2006190038.tif 000008
【図７】
2006190038.tif 000009
【図８】
2006190038.tif 000010
【図９】
2006190038.tif 000011
【図１０】
2006190038.tif 000012
【図１１】
2006190038.tif 000013